(57)【要約】【課題】  メイン基板を収納するケースに穴を開けて行う不正行為を検知する。【解決手段】  メイン基板のケース１０と、前記ケースの電線が断線したかどうかを検知する断線検知部２０とを備える。前記ケースは、その表面に縦、横又は斜めのいずれかの方向に格子状に配列された複数の電線とを備え、前記複数の電線は、それぞれ、一方の端で隣接する電線に接続され、他方の端で隣接する他の電線に接続されることにより一本の電線１１にまとめられている。前記断線検知部は、前記ケースの前記一本の電線の両端に接続され、不正な穿孔によりいずれか一本の電線が断線したとき、その旨の信号を出力する。【選択図】        図２
2008279023.tif 000002
【特許請求の範囲】
【請求項１】
脱着可能な半導体素子が搭載され、遊技に係る抽選処理を行う基板と、前記基板又は少なくとも前記半導体素子を収納するケースとを備える遊技機において、
前記ケースに、縦、横又は斜めのいずれかの方向に格子状に配列され、互いに直列に接続された複数の電線と、前記複数の電線のいずれかひとつが断線したかどうかを検知する断線検知部とを備えることを特徴とする遊技機。
【請求項２】
前記複数の電線は、前記ケースの表面に一様に分布するように設けられていることを特徴とする請求項１記載の遊技機。
【請求項３】
前記複数の電線は、前記ケースの一方の面に縦、横又は斜めのいずれかの方向に格子状に配列された第１の複数の電線と、前記ケースの他方の面に縦、横又は斜めのいずれかの方向に格子状に配列された第２の複数の電線とを積層したものであることを特徴とする請求項１記載の遊技機。
【請求項４】
前記第１の複数の電線と前記第２の複数の電線は、互いに交差するように設けられていることを特徴とする請求項３記載の遊技機。
【請求項５】
少なくとも、前記第１の複数の電線又は前記第２の複数の電線の表面に保護層を備えることを特徴とする請求項３記載の遊技機。
【請求項６】
前記断線検知部は、電源と、前記電源に接続された抵抗と、前記抵抗の両端の電圧を比較するコンパレータとを備え、
互いに直列に接続された前記複数の電線の一方の端に前記電源が接続され、他方の端に前記抵抗が接続され、
前記コンパレータは、前記抵抗の両端の電圧の低下を検知したとき前記複数の電線のいずれかひとつが断線した旨の信号を出力する、ことを特徴とする請求項１記載の遊技機。
【発明の詳細な説明】
【技術分野】
【０００１】
この発明は、スロットマシン等の遊技機に関する。特に、ＣＰＵなどの電子部品を搭載し、遊技に係る処理を実行する基板（メイン基板）の不正な交換又は当該基板に搭載されている半導体素子（ＲＯＭなど）の不正な交換を防止できる遊技機に関する。
【背景技術】
【０００２】
パチンコ店などの遊技場に設置されているパチンコ機やスロットマシン等の遊技機は、パチンコ球やメダル等の遊技媒体を使用して遊技を行うものである。遊技媒体には一定の価値が与えられて、遊技を行って獲得した遊技媒体を種々の景品に交換することができる。遊技機は、その筐体内部に、遊技媒体の供給に基づいて作動させるランプ装置や音声発生装置などの様々な各種駆動装置及びこれら駆動装置を制御するための制御回路装置を備えており、遊技者が遊技を行う際にこれらを適宜作動させることによって遊技を興趣に溢れたものとしている。また、近年では、リール表示装置または液晶表示装置等の図柄可変表示装置を内蔵し、所定条件を満たしたときにその表示を変動させ、その後に停止表示させることで、所定の識別情報（図柄）を変動表示するものが主流となっている。これらの装置は制御回路装置によって制御されている。
【０００３】
最近の遊技機の内部に配設されている制御回路装置は、基板上に設けられたＣＰＵ（central processing unit）が、制御プログラムに従って電子制御を行うものが一般的である。制御プログラムは、マスクＲＯＭ（read only memory）のような基板上に装着されたＩＣチップにデータとして記憶されており、ＣＰＵは、遊技状態に応じてＩＣチップから制御プログラムのデータを逐次読み出して実行することによって制御を行っている。
【０００４】
遊技場に設置される遊技機は、制御プログラムが不正に改変されないよう管理されており、制御回路装置（メイン基板）を収納ケースに収納し、その収納ケースを、本体枠の所定部材に組み付けるなどして、メイン基板及び制御プログラムを記憶するＲＯＭが不正に交換されないように配慮がなされている。さらに、ＲＯＭには封印シールが貼付されるなどして、装着されている基板上から容易に外すことができないようになっている。
【０００５】
しかしながら、上記のようにメイン基板をケースに収納したり、ＲＯＭに封印シールを貼付するようにしても、メイン基板やＲＯＭの不正な交換は後を絶たない。
【０００６】
【特許文献１】特願２００４−３５８０７６号公報  この文献に開示された発明は、制御プログラムの不正な改変を確実に防止することを目的とし、メイン基板を収納するカバーの開放を検出する検出手段（スイッチ）を設け、カバーの開放を検出したときその旨を報知することを開示する。
【発明の開示】
【発明が解決しようとする課題】
【０００７】
特許文献１では、カバーの開放を検知し報知するので、メイン基板やＲＯＭの不正な交換を防止するという点で一定の効果があった。しかし、メイン基板を収納するケースに穴を穿ち、そこを通してＲＯＭの不正な交換が行われることもある。このような不正行為に対して、特許文献１のやり方では対処は難しかった。
【０００８】
この発明は上記課題を解決するためになされたもので、メイン基板又は半導体素子（ＲＯＭ）を収納するケースに対する穿孔行為を検知することで、当該不正行為を防止できる遊技機を提供することを目的とする。
【課題を解決するための手段】
【０００９】
この発明は、脱着可能な半導体素子が搭載され、遊技に係る抽選処理を行う基板と、前記基板又は少なくとも前記半導体素子を収納するケースとを備える遊技機において、
前記ケースに、縦、横又は斜めのいずれかの方向に格子状に配列され、互いに直列に接続された複数の電線と、前記複数の電線のいずれかひとつが断線したかどうかを検知する断線検知部とを備えるものである。
【００１０】
好ましくは、前記複数の電線は、前記ケースの表面に一様に分布するように設けられている。
【００１１】
前記複数の電線は、前記ケースの一方の面に縦、横又は斜めのいずれかの方向に格子状に配列された第１の複数の電線と、前記ケースの他方の面に縦、横又は斜めのいずれかの方向に格子状に配列された第２の複数の電線とを積層したものでもよい。
【００１２】
前記第１の複数の電線と前記第２の複数の電線は、互いに交差するように設けてもよい。
【００１３】
少なくとも、前記第１の複数の電線又は前記第２の複数の電線の表面に保護層を備えてもよい。
【００１４】
例えば、前記断線検知部は、電源と、前記電源に接続された抵抗と、前記抵抗の両端の電圧を比較するコンパレータとを備え、
互いに直列に接続された前記複数の電線の一方の端に前記電源が接続され、他方の端に前記抵抗が接続され、
前記コンパレータは、前記抵抗の両端の電圧の低下を検知したとき前記複数の電線のいずれかひとつが断線した旨の信号を出力する。
【発明の効果】
【００１５】
この発明は、格子状に配列された複数の電線を含み、メイン基板又は半導体素子を収納するケースと、前記ケースの電線が断線したかどうかを検知する断線検知部とを備え、前記電線が断線したときにその旨の信号を出力するので、ケースを穿孔して行う不正行為を検知することができるようになり、当該不正行為を抑止できる。
【発明を実施するための最良の形態】
【００１６】
発明の実施の形態１．
この発明の実施の形態に係る遊技機について図面を参照して説明する。
図１は扉を閉めた状態を示すスロットマシンの正面図を示す。
【００１７】
図１中、１００はスロットマシンを示すもので、このスロットマシン１００は、図１に示すように、スロットマシン本体１２０と、このスロットマシン本体１２０の前面片側にヒンジ等により開閉可能に取り付けられた扉１３０とを備えている。前記扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２のさらに下側には、メダル投入口１３２から投入され、詰まってしまったメダルをスロットマシン１００外に強制的に排出するためのリジェクトボタン１３３が設けられている。
【００１８】
また、前記ゲーム表示部１３１の左下方には、ゲームを開始するためのスタートスイッチ１３４を設けてあり、３つの回転リール１３６のそれぞれに対応して３つのストップボタン１４０を設けてある。扉の下端部中央には、メダルの払出し口１３５を設けてある。
【００１９】
図２はスロットマシン１００の電気的な概略構造を示すブロック図である。この図において電源系統についての表示は省略されている。スロットマシン１００は、その主要な処理装置としてメイン基板１とこれからコマンドを受けて動作するサブ基板２とを備える。なお、少なくともメイン基板１は、外部から接触不能となるようにケース内部に収容され、これら基板を取り外す際に痕跡が残るように封印処理が施されている。
【００２０】
メイン基板１は、遊技者の操作を受けて内部抽選を行ったり、回転リール１３６の回転・停止やメダルの払い出しなどの処理を行うためのものである。メイン基板１は、予め設定されたプログラムに従って制御動作を行うＣＰＵと、前記プログラムを記憶する記憶手段であるＲＯＭおよび処理結果などを一時的に記憶するＲＡＭを含む。
【００２１】
サブ基板２は、メイン基板１からコマンド信号を受けて内部抽選の結果を報知したり各種演出を行うためのものである。サブ基板２は、前記コマンド信号に応じた予め設定されたプログラムに従って制御動作を行うＣＰＵと、前記プログラムを記憶する記憶手段であるＲＯＭおよび処理結果などを一時的に記憶するＲＡＭを含む。コマンドの流れはメイン基板１からサブ基板２への一方のみであり、逆にサブ基板２からメイン基板１へコマンド等が出されることはない。
【００２２】
メイン基板１にはスタートスイッチ１３４，ストップボタン１４０，リールユニット（リール駆動装置を含む）７０，リール位置検出回路７１、ホッパ駆動部８０、ホッパ８１及びホッパ８１から払い出されたメダルの枚数を数えるためのメダル検出部８２が接続されている。サブ基板２には液晶表示装置の制御基板２００、スピーカ２０１、ＬＥＤ基板２０２などの周辺基板（ローカル基板）が接続されている。
【００２３】
上述のように、メイン基板１及びサブ基板２は、ＣＰＵを中心に構成され、ＲＯＭ、ＲＡＭ、Ｉ／Ｏ等を備えている。そして、ＣＰＵ（処理部）が遊技者の操作を受けてＲＯＭ（記憶部）に記憶されたプログラムを読み込むことで所定の動作を行う。具体的には、スタートスイッチ１３４及びストップボタン１４０の操作に基づきリールユニット７０に内蔵される３つの回転リール１３６の回転及び停止を制御するとともに、ランプやスピーカ等の表示を制御する。ＣＰＵが動作する際に必要な一時的なデータなどはＲＡＭ（一般にＲＡＭは揮発性メモリであり、その電源断によりデータは原則失われるが、本遊技機においてはその一部又は全部についてバッテリなどのバックアップ電源が用意されていることがあり、この場合は電源断でもデータは失われない）に記憶される。ＣＰＵはＲＯＭに記録されたプログラムに従って所定の動作を行うとともに、処理に必要な一時的なデータをＲＡＭに記録するとともに記録されたデータを必要に応じて読み出して参照する。
【００２４】
スロットマシンで遊技を楽しもうとする遊技者は、まずメダル貸機（図示しない）等から遊技媒体であるメダルを借り、メダル投入装置のメダル投入口１３２に直接メダルを入れることができる。スタートスイッチ１３４は回転リール１３６の斜め下方に位置するレバーであって、遊技メダルの投入を条件に、リールユニット７０の駆動を開始させる。リールユニット７０は、ストップボタン１４０によりその駆動が停止される。リールユニット７０は、三個の回転リール１３６から構成されている。そして、各回転リール１３６は、合成樹脂からなる回転ドラムと、この回転ドラムの周囲に貼付されるテープ状のリールテープとを備えている。このリールテープの外周面には、複数個（例えば２１個）の図柄が表示されている。
【００２５】
発明の実施の形態１に係る遊技機は、メイン基板１を収納するケース１０を備える。ケース１０は透明樹脂製で、メイン基板１の表面と側面を覆う合計５面の板１２を備える（裏面を含む合計６面でもよい）。板１２の表面（特にメイン基板１の表面を覆う板１２の表面）には複数の電線１１−１〜１１−１０が設けられている（図２は１０本の電線を示すが、これはあくまで例示であって、本発明の実施の形態はこれに限定されない）。さらに、ケース１０に設けられた電線１１（図２の複数の電線１１−１〜１１−１０が一本にまとめられたもの）が断線したかどうかを検知する断線検知部２０とを備える。
【００２６】
発明の実施の形態１に係るケース１０の斜視図を、図３に示す。ケース１０は概ね直方体をしており、内部は空洞である。その内部にメイン基板１を収納する。ケース１０の各面を構成するものが板１２である。板１２の少なくとも一部（特にメイン基板１の表面を覆う板１２の表面）には、縦又は横いずれかの方向に格子状に配列された複数の電線１１−１〜１１−１０を備える。図３ではケース１０を模式的に示しており、１０本の電線１１−１〜１１−１０が水平方向すなわちメイン基板１に平行に配置されている（実際はもっと本数が多いが、図面を見やすくするために簡略化して示してある）。なお、図３の点線に示すように、ケース１２の側面に複数の電線１１を設けるようにしてもよい。
【００２７】
ケース１０に設けられた複数の電線１１−１〜１１−１０は、それぞれ、一方の端で隣接する電線に接続され、他方の端で隣接する他の電線に接続されることにより一本の電線１１にまとめられている。断線検知部２０は、ケース１０に設けられた一本の電線１１の両端に接続され、一本の電線１１が断線したときその旨の信号を出力する。なお、特に断らない限り以下の説明において、電線１１は、複数の電線１１−１〜１１−１０からなる一本の電線１１のことを意味するものとする。
【００２８】
ケース１０の構造を説明する。薄い透明樹脂製の板１２の上に電線１１が設けられている。電線１１の配列はいわゆる一筆書きになっていて、途中で互いに交差することはない（交差させてもよいが、交差させる場合には電線同士を電気的に絶縁しておく）。電線１１は、好ましくはケース１０に満遍なく配置されて基板全体を覆うが、特定の部分（特に穿孔されやすいところ、例えばＲＯＭの位置）のみに配置するようにしてもよい。
【００２９】
ケース１０はメイン基板１を覆うように設けられ、しかも、ケース１０に設けられている電線１１の間隔（すなわち電線１１−１〜１１−１０の間隔）が３〜５ｍｍと狭いために、不正行為者によりケース１０に穴が穿たれると、当該部分で電線１１が切断される。これを断線検知部２０が検知して、その旨の警報信号をホールコンピュータへ出力する。当該警報信号は、一旦はメイン基板１を通り、集合端子板に入り、ここからホールコンピュータへ送られる。具体的には、筐体に対する穿孔を監視するため、断線検知部２０は電線１１に電流を流す。もし穿孔された場合、電線１１が切断され、電流が流れなくなるので、これを断線検知部２０で検知し、不正行為が行われた旨の信号をホールコンピュータへ送信する。
【００３０】
ケース１０の各電線の間隔は３〜５ｍｍ程度である。ドライバ等の工具を差し込むためには１０ｍｍ程度の大きさが必要である。そのような穴を穿たれたときには当該個所で必ず電線１１が切断されなければならない。このような観点に基づき各電線の間隔は定められる。
【００３１】
図４は発明の実施の形態に係る板１２の断面図を示す。図４（ａ）に示すように電線１１を板１２の表面（又は裏面）に設けるか、又は、図４（ｂ）に示すように電線１１を板１２の内部に埋め込むようにする。
【００３２】
図５（ａ）は、発明の実施の形態に係る断線検知部２０の構成例を示し、図５（ｂ）はその動作の説明図を示す。
【００３３】
断線検知部２０は、直流電源（電池）２１と、直流電源２１に直列に接続される抵抗２２と、抵抗２２の両端の電位差を監視する装置（コンパレータ）２３とを備える。直流電源２１と抵抗２２にはそれぞれ電線１１が接続される。これらは閉回路を構成し、電池２１の電流は抵抗２２と電線１１を通って流れる。ケース１０が穿孔されると電線１１が切断され、電流が流れなくなる。
【００３４】
コンパレータ２３は抵抗２２の両端の電位差が予め定められた閾値よりも大きいとき、例えばデジタルの高レベルの信号を出力し、そうでないときは低レベルの信号を出力する（図５（ｂ））。閾値は、例えば直流電源２１の電圧の半分程度にしておく。正常な状態では抵抗２２及び電線１１を通って電流が流れるので、抵抗２２の両端には電位差が生じている（電線１１の抵抗及び直流電源２１の内部抵抗をゼロ、コンパレータ２３の入力インピーダンスを無限大とすれば、当該電位差は直流電源２１の電圧程度）。したがって、コンパレータ２３は高レベルの信号を出力する。しかし、ケース１０が穿孔されると電線１１が切断されて電流が流れなくなると、抵抗２２の両端の電位差はゼロになるので、コンパレータ２３は低レベルの信号を出力する。コンパレータ２３の低レベルの出力が、筐体穿孔検知信号（断線信号）としてホールコンピュータへ送られる。この信号を受けると、ホールコンピュータで異常を報知する。係員に注意を促すことで不正行為を未然に防止することができる。筐体穿孔検知信号（断線信号）を受けて、メイン基板１の遊技処理を中止するようにしてもよい。
【００３５】
以上の説明では電線１１及び断線検知部２０が一つの場合を例にとり説明を加えた。図６に示すように複数の電線１１ａ〜１１ｃ及び断線検知部２０ａ〜２０ｃを備えるようにしてもよい。例えば、合計５つの断線検知部２０を用意するとともに、ケース１０の表面の板１２、側面の板１２のそれぞれに複数の電線を設けることで合計５つの電線１１を用意し、これらのそれぞれに、合計５つの断線検知部２０を接続してもよい。
【００３６】
上述のように、ケース１０は、縦又は横いずれかの方向に格子状に配列された電線１１を備えるものである。格子とは、細い角材を縦横、あるいはそのどちらかの方向に間をすかして組んだもののことであり、格子状とは、そのような配置状態のことである。通常は、図２などに示すような縦又は横いずれか一方に配列した電線１１を格子状と呼ぶが、本発明の実施の形態では、図７（ａ）に示すような縦と横が混在した配列も格子状に含める。図７（ａ）の符号１１ｄと１１ｅはそれぞれ横方向の格子状の配置であり、符号１１ｆと１１ｇはそれぞれ縦方向の格子状の配置である。１１ｄ〜１１ｇは直列に接続され、図７（ａ）の全体で一本の電線１１を構成している。
【００３７】
図７（ａ）の電線１１ｄ〜１１ｇそれぞれを構成する電線（図２の符号１１−１等に相当する部分）についてみれば、これら電線は、それぞれ、一方の端で隣接する電線に接続され、他方の端で隣接する他の電線に接続されることにより、電線１１ｄ〜１１ｇそれぞれにおいて一本の電線にまとめられ、さらに、電線１１ｄ〜１１ｇそれぞれの端が隣接するほかの電線の端に接続される（符号ｄ−ｅ、ｄ−ｆ、ｅ−ｇの電線）ことで、電線１１ｄ〜１１ｇ全体で一本の電線１１を構成している。
【００３８】
ケース１０に、斜めに複数の電線を配置することもできる。図７（ｂ）にその例を示す。本発明の実施の形態では、図７（ｂ）に示すような斜めの配列も格子状に含める。
【００３９】
ケース１０のいずれかの箇所が穿孔されたときでも確実に検知するには、複数の電線１１をケース１０の表面に一様に分布するように設けるようにすればよい。言い換えれば、電線１１の密度（例えば、その単位を本／ｃｍとする）がケース１０の任意の部分で同じになるようにするとよい。その具体的な配列に制限はなく、図７に示されたさまざまな配列を採用することができる。
【００４０】
本発明の実施の形態１によれば、メイン基板を収納するケースの穿孔を検知して、その旨の信号を外部へ出力することができる。当該信号を受けてホールコンピュータで警報を発生したり、遊技機（メイン基板）で遊技処理を中止することができる。不正行為に対して監視を強めこれを未然に防止したり、不正行為者に対して利益を与えないようにできる。本発明の実施の形態１により、不正行為を抑止することができるようになる。
【００４１】
発明の実施の形態２．
上記発明の実施の形態１では、電線は同じ平面上に配置されていた。言い換えれば、ケース１０は一層の電線を備えていたが、複数の層の電線を備えるようにしてもよい。
【００４２】
発明の実施の形態２に係る遊技機は、ケース１０と、ケース１０の電線（図８の第１の複数の電線１１−１〜１１−１０が一本にまとめられた第１の単一電線１１）及び／又は電線３１（第２の複数の電線３１−１〜３１−９が一本にまとめられた第２の単一電線３１）のいずれかが断線したかどうかを検知する断線検知部２０とを備える。第１の単一電線１１と第２の単一電線３１は積層されている（後述の図９（ｃ）（ｄ）参照）。
【００４３】
発明の実施の形態２に係るケース１０の各面は、積層される２つの板１２、３２と、板１２、３２にそれぞれ設けられた縦又は横いずれかの方向に格子状に配列された第１の複数の電線１１−１〜１１−１０及び第２の複数の電線３１−１〜３１−９とを備える（図９（ｃ）（ｄ）参照）。図８では、１０本の第１の電線１１−１〜１１−１０が横方向に配置され、９本の第２の電線３１−１〜３１−９が縦方向に配置されている（実際はもっと本数が多いが、図面を見やすくするために簡略化して示してある）。第１の複数の電線１１−１〜１１−１０は、それぞれ、一方の端で隣接する電線に接続され、他方の端で隣接する他の電線に接続されることにより一本の電線（第１の単一電線）１１にまとめられている。第２の複数の電線３１−１〜３１−９（第２の単一電線）についても同様である。第１の単一電線１１と第２の単一電線３１とは直列に接続され、一本の電線とされている（これを電線１１及び電線３１と記す）。
【００４４】
断線検知部２０は、ケース１０に設けられた電線１１及び電線３１の両端に接続され、電線１１及び電線３１のいずれかの個所が断線したときその旨の信号を出力する。なお、特に断らない限り以下の説明において、電線１１と記す場合は、複数の電線１１−１〜１１−１０からなる第１の単一電線１１のことを意味するものとする。電線３１も同様である。
【００４５】
図９は、発明の実施の形態２に係るケース１０の断面図を示す。説明の便宜上、図９では電線１１と電線３１の配列は同じである（横と横、又は、縦と縦）とする。
【００４６】
図９（ａ）に示すように電線１１を板１２の表面に、電線３１をその裏面に設ける。図９（ｂ）に示すように、さらに板１２の両側にそれぞれ保護層４０を備えるようにしてもよい。保護層４０で板１２を挟み込むことで電線１１，３１を見えなくするとともに、外部からの干渉（不正な工作）を極力避けることができる。万一、ケース１０を穿孔されたときでも、穿孔により切断された電線をジャンパなどで修復することを困難にし、本発明の実施の形態による不正行為の防止を確実にできる。保護層４０は硬質プラスチックのような絶縁性と強靭性を併せ持つ素材であることが好ましい。
【００４７】
図８に示すように、板を二つ用意し（板１２と板３２）、それぞれに電線を設けるようにしてもよい。この場合、基板と基板の間の層（中間層）に電線１１又は３１のいずれかを配置する。例えば、図９（ｃ）に示すように、第１の板１２の上に電線１１を設け、第２の板３２の上に電線３１を設けるとともに、第１の板１２を第２の板３２の上に重ねる。第１の板１２と第２の板３２の間が中間層である。電線が設けられていない第２の板３２の面を外側に向けるとよい。図９（ｄ）に示すように、第１の板１２の上にさらに保護層４０を設けるようにしてもよい。
【００４８】
以上の説明では電線１１及び断線検知部２０が一つの場合を例にとり説明を加えた。図１０に示すように複数（２つ）の断線検知部２０ａと２０ｂを備えるようにしてもよい。例えば、電線１１に断線検知部２０ａを接続し、電線３１に断線検知部２０ｂを接続する。この場合、電線１１と電線３１を直列に接続する必要はなくなる。
【００４９】
電線１１と電線３１が同じ配列の場合には、両者を少しずらして配置するとよい。図１１（ａ）にその一例を示す。図１１（ａ）はケース１０の平面図であり、下側の配線３１を点線で示してある。電線１１の間に電線３１が位置するように配置することにより、配線の間隔を狭めたことと同じ効果を奏し、小さな穴でも検知することができる。例えば、電線１１の間隔と電線３１の間隔が同じである場合、検知可能な最小の穴の直径は当該間隔の半分となる。
【００５０】
電線１１と電線３１が違う配列（図１１（ａ）に示すように縦と横）の場合には、検知可能な最小の穴の直径はいずれかの電線のそれと同じになるが、検知を避けることのできる部分が電線１つのときよりも減少するので、不正行為を確実に検知できるようになる。
【００５１】
発明の実施の形態２は、発明の実施の形態１と同様の作用効果を奏する。発明の実施の形態２は、多層に配置された電線を備えるので、より確実に不正行為を検知できるとともに、ジャンパなどによる検知の妨害を受けにくくできる。
【００５２】
なお、以上の説明では、ケース１０がメイン基板１全体を覆うものを例にとり説明を加えたが、本発明はこれに限定されない。例えば、メイン基板１の一部を覆うケースに適用することもできる。図１２に、メイン基板１に搭載されているＲＯＭの部分を覆うケースに適用した例を示す。図１２の例によれば、ＲＯＭの交換を検知することができる。
【００５３】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００５４】
【図１】遊技機（スロットマシン）の正面図である。
【図２】発明の実施の形態１に係る遊技機のブロック図である。
【図３】発明の実施の形態１に係るケースの斜視図である。
【図４】発明の実施の形態１に係るケースの断面図である。
【図５】発明の実施の形態１に係る断線検知部の構成例及び動作の説明図である。
【図６】発明の実施の形態１に係る断線検知部の他の構成例の説明図である。
【図７】発明の実施の形態１に係る他のケースの説明図である。
【図８】発明の実施の形態２に係る遊技機のブロック図である。
【図９】発明の実施の形態２に係るケースの断面図である。
【図１０】発明の実施の形態２に係る断線検知部の他の構成例の説明図である。
【図１１】発明の実施の形態２に係る他の電線配置の説明図である。
【図１２】他の形態に係るケースの斜視図である。
【符号の説明】
【００５５】
１    メイン基板
２    サブ基板
１０    ケース
１１    一本になった電線
１１−１〜１１−１０  格子状に配列された複数の電線（第１の電線）
１２    ケースの板
２０    断線検知部
２１    直流電源
２２    抵抗
２３    コンパレータ
３１    第２の単一電線
３１−１〜３１−１０  格子状に配列された複数の電線（第２の電線）
３２    第２の基部
４０    保護層
７０    リールユニット
７１    リール位置検出回路
８０    ホッパ駆動部
８１    ホッパ
８２    メダル検出部
１００    スロットマシン
１２０    スロットマシン本体（筐体）
１３０    扉
１３１    ゲーム表示部
１３２    メダル投入口
１３３    リジェクトボタン
１３４    スタートスイッチ
１３５    払出し口
１３６    回転リール
１４０    ストップボタン
２００  液晶制御基板
２０１  スピーカ基板
２０２  ＬＥＤ基板
【図１】
2008279023.tif 000003
【図２】
2008279023.tif 000004
【図３】
2008279023.tif 000005
【図４】
2008279023.tif 000006
【図５】
2008279023.tif 000007
【図６】
2008279023.tif 000008
【図７】
2008279023.tif 000009
【図８】
2008279023.tif 000010
【図９】
2008279023.tif 000011
【図１０】
2008279023.tif 000012
【図１１】
2008279023.tif 000013
【図１２】
2008279023.tif 000014